(57)【要約】【課題】  賽銭箱に投入された賽銭の額を画像解析処理により判定し、判定された賽銭の額に応じて神社・仏閣側からのメッセージを発することのできるシステム、及び賽銭の額を自動集計することができるシステムを提供する。【解決手段】  賽銭箱２の上方部に設置され、前記賽銭箱２に投入される賽銭の映像情報を取得するカメラ３と、前記カメラ３から提供される前記映像情報を処理する制御装置４と、前記カメラ３及び前記制御装置４に接続される表示装置６とを備え、前記制御装置４は、所要電子情報を記録する記録部４ａと、前記カメラから提供される前記映像情報より賽銭を認識し、認識された賽銭画像を基に所定の画像処理を行う賽銭認識・画像処理部４ｂと、前記賽銭認識・画像処理部４ｂで処理された賽銭画像情報を前記記録部４ａに予め記録された貨幣情報と対比させて賽銭の額を判定し、この判定情報を前記記録部４ａに記録処理を行う賽銭額判定部４ｃとからなる。【選択図】図４
0003221419.tif 000002
【実用新案登録請求の範囲】
【請求項１】
賽銭箱に投入される賽銭の額をカメラから提供される映像情報を基に判定する賽銭処理システムであって、
前記賽銭箱の上方部に設置され、前記賽銭箱に投入される賽銭の映像情報を取得するカメラと、前記カメラから提供される前記映像情報を処理する制御装置と、前記カメラ及び前記制御装置に接続される表示装置とを備え、
前記制御装置は、
所要電子情報を記録する記録部と、
前記カメラから提供される前記映像情報より賽銭を認識し、認識された賽銭画像を基に所定の画像処理を行う賽銭認識・画像処理部と、
前記賽銭認識・画像処理部で処理された賽銭画像情報を前記記録部に予め記録された貨幣情報と対比させて賽銭の額を判定し、この判定情報を前記記録部に記録処理を行う賽銭額判定部とからなり、
前記表示装置には前記映像情報、前記判定情報の中の少なくとも一つあるいはこれらの並列の情報が映し出されることを特徴とする賽銭処理システム。
【請求項２】
請求項１に記載の賽銭処理システムにおいて、
前記制御装置に、前記賽銭額判定部の判定情報を前記記録部に予め記録された出力情報に対応させて所定の出力情報を出力する出力部をさらに備え、
前記出力部には前記出力情報を出力する出力装置が接続され、
前記表示装置には前記映像情報、前記判定情報、前記出力情報の中の少なくとも一つあるいはこれらの並列の情報が映し出されることを特徴とする賽銭処理システム。
【請求項３】
前記出力装置は、前記賽銭箱の近傍に設置されたディスプレイ、前記賽銭箱の上方部に配設されたスピーカーの中の少なくとも１つであることを特徴とする請求項２に記載の賽銭処理システム。
【請求項４】
前記ディスプレイへの表示出力及び又は前記スピーカーへの音声出力は、手動操作により行われることを特徴とする請求項２又は請求項３に記載の賽銭処理システム。
【請求項５】
請求項１に記載の賽銭処理システムにおいて、
前記制御装置に、前記賽銭額判定部の判定情報を基に所定の期間に投入された賽銭額を集計し、この集計情報を前記記録部に記録処理を行う賽銭集計部をさらに備え、
前記表示装置には前記映像情報、前記判定情報、前記集計情報の中の少なくとも一つあるいはこれらの並列の情報が映し出されることを特徴とする賽銭処理システム。
【請求項６】
請求項１に記載の賽銭処理システムにおいて、
前記制御装置に、前記賽銭額判定部の判定情報を前記記録部に予め記録された出力情報に対応させて所定の出力情報を出力する出力部と、
前記賽銭額判定部の判定情報を基に所定の期間に投入された賽銭額を集計し、
この集計情報を前記記録部に記録処理を行う賽銭集計部とをさらに備え、
前記出力部には前記出力情報を出力する出力装置が接続され、
前記表示装置には前記映像情報、前記判定情報、前記出力情報、前記集計情報の中の少なくとも一つあるいはこれらの並列の情報が映し出されることを特徴とする賽銭処理システム。
【請求項７】
請求項１に記載の賽銭処理システムにおいて、
前記制御装置の賽銭認識・画像処理部には、前記カメラから提供される前記映像情報より参拝者・参詣者の顔又は全身を認識し、認識された人物画像を基に所定の画像処理を行う機能を備えるとともに、
前記制御装置の賽銭額判定部には、前記賽銭認識・画像処理部で処理された人物画像情報を前記記録部に予め記録された人物情報と対比させて性別及び概略年齢層を判別する機能をさらに備え、
前記表示装置には前記映像情報、前記判定情報、前記人物情報の中の少なくとも一つあるいはこれらの並列の情報が映し出されることを特徴とする賽銭処理システム。
【考案の詳細な説明】
【技術分野】
【０００１】  本考案は、賽銭箱に投入される賽銭の処理システムに関する。
【背景技術】
【０００２】  神社・仏閣への参拝者・参詣者は、通常、その神社・仏閣の拝殿や本堂に設置されている賽銭箱へ賽銭を投入している。
また、賽銭箱に投入された賽銭は神社・仏閣側で定期的に取り出され、人手によりその金額の集計がなされている。
【先行技術文献】
【特許文献】
【０００３】
【特許文献１】実用新案登録第３１１９５０７号公報
【特許文献２】実開平０７−０１４９８５号公報
【考案の概要】
【考案が解決しようとする課題】
【０００４】  上述のように、神社・仏閣への参拝者・参詣者は、通常、その神社・仏閣の拝殿や本堂に設置されている賽銭箱へ賽銭を投入するが、賽銭の額は参拝者・参詣者の諸事情により様々で参拝者・参詣者の自由意志に任されている。例えば高額な賽銭を投入したとしても神社・仏閣側からすぐの反応はないのが現状であり、参拝者・参詣者の心理的効果が考慮されていなかった。このため、例えば特許文献１や特許文献２に示すように賽銭箱に賽銭を投入した際に音声を発する賽銭箱が考案されているが、賽銭投入直後に賽銭額に応じて神社・仏閣側からメッセージを発するしくみやシステムは存在していなかった。【０００５】  また、賽銭箱に投入された賽銭は、神社・仏閣側で定期的に取り出され、人手によりその金額の集計がなされているが、この集計に多大の労力を要しているにもかかわらず、自動で賽銭の集計を行うシステムも存在していなかった。【０００６】  本考案は、上述の課題を解決するため、賽銭投入直後に賽銭額に応じて神社・仏閣側からのメッセージを自動で又は手動で発することのできるシステム、並びに自動で賽銭の集計を行うシステムを提供することを目的とする。
【課題を解決するための手段】
【０００７】  上記目的を解決するため本考案は、賽銭箱に投入される賽銭の額をカメラから提供される映像情報を基に判定する賽銭処理システムであって、
前記賽銭箱の上方部に設置され、前記賽銭箱に投入される賽銭の映像情報を取得するカメラと、前記カメラから提供される前記映像情報を処理する制御装置と、前記カメラ及び前記制御装置に接続される表示装置とを備え、
前記制御装置は、
所要電子情報を記録する記録部と、
前記カメラから提供される前記映像情報より賽銭を認識し、認識された賽銭画像を基に所定の画像処理を行う賽銭認識・画像処理部と、
前記賽銭認識・画像処理部で処理された賽銭画像情報を前記記録部に予め記録された貨幣情報と対比させて賽銭の額を判定し、この判定情報を前記記録部に記録処理を行う賽銭額判定部とからなることを特徴とし、
さらに、前記制御装置に、前記賽銭額判定部の判定情報を前記記録部に予め記録された出力情報に対応させて所定の出力情報を出力する出力部と、前記賽銭額判定部の判定情報を基に所定の期間に投入された賽銭額を集計し、この集計情報を前記記録部に記録処理を行う賽銭集計部とを備え、前記出力部には前記出力情報を出力する出力装置が接続され、前記表示装置には前記映像情報、前記判定情報、前記出力情報、前記集計情報の中の少なくとも一つあるいはこれらの並列の情報が映し出されることを特徴としている。
【考案の効果】
【０００８】  本考案の賽銭処理システムを神社・仏閣で使用すれば、賽銭箱に投入された賽銭の額をカメラからの情報の解析処理により自動で判定することができ、賽銭投入直後に、この判定された賽銭の額に応じて予め神社・仏閣側で用意した音声メッセージを賽銭箱の上方から流したり、またこの音声メッセージの内容を賽銭箱近傍に設置されたディスプレイに表示することができるため、参拝者・参詣者の心理的効果を高めることができる。
また、一定期間に投入された賽銭の額を自動で集計することができるため、集計の手間が省けかつ集計後の帳簿管理も一元的に行うことができる。
さらに、本考案の賽銭処理システムは、既存の賽銭箱を現状のまま使用できるため、投資費用を最小限に抑えることができる。
【図面の簡単な説明】
【０００９】
【図１】  本考案に係る実施形態１を示すシステムの構成図である。
【図２】  本考案に係る実施形態２を示すシステムの構成図である。
【図３】  本考案に係る実施形態３を示すシステムの構成図である。
【図４】  本考案に係る実施形態４を示すシステムの構成図である。
【考案を実施するための形態】
【００１０】  以下、本考案に係る賽銭処理システム１の実施の形態について、図１〜図４に基づいて説明する。
【００１１】  図１〜図４に示す賽銭処理システム１において、賽銭箱２は神社・仏閣の拝殿や本堂などの参拝・参詣場所に設置されている既存の賽銭箱であり、カメラ３は賽銭箱２の上方部の建屋にレンズを賽銭箱２側に向けて設置されている。なお、カメラ３の電源は常時オンでもよいが、節電のため参拝者・参詣者が賽銭箱２の近くに来た時に人感センサで検知して電源オンするようにしてもよい。
制御装置４は、表示装置６とともに社務所など屋内に設置され、カメラ３からの映像を受け取り、以下に説明する所定の処理を行う。
なお、カメラ３はデジタルビデオカメラなどデジタル動画情報が取得できるものを使用する。
【００１２】  実施形態１：〈図１に対応〉
請求項１に記載の第１の考案である賽銭処理システム１は、カメラ３、制御装置４及び表示装置６から構成され、制御装置４には所要電子情報を記録する記録部４ａ、カメラ３から提供される映像情報より賽銭を認識し、認識された賽銭画像を基に所定の画像処理を行う賽銭認識・画像処理部４ｂ、並びに賽銭認識・画像処理部４ｂで処理された賽銭画像情報を記録部４ａに予め記録された貨幣情報と対比させて賽銭の額を判定し、この判定情報を記録部４ａに記録処理を行う賽銭額判定部４ｃとを備えており、賽銭箱２に投入された賽銭の額を判定するまでのシステムである。
【００１３】  賽銭認識・画像処理部４ｂは、賽銭箱２への賽銭投入前後の硬貨や紙幣の貨幣情報を瞬時にパターン認識し、認識した画像を予め記録された貨幣情報と対比できるまで画像処理を行い、その後、この画像情報と記録部４ａの貨幣情報とを対比させて賽銭の額を判定する。
本考案の賽銭処理システム１を使用すれば、例え複数の賽銭が投入された場合でも確実に投入賽銭の総額を算出することができる。
なお、記録部４ａに予め記録された貨幣情報とは、例えば、１０円硬貨や千円紙幣など現行貨幣の個々のデジタル画像情報全てを指す。
【００１４】  表示装置６にはカメラ３の映像情報、賽銭の額の判定情報の中の少なくとも一つあるいはこれらの並列の情報がマルチウィンドウで映し出され、視覚的に現状を把握できるようにしている。
【００１５】  また、賽銭処理システム１において、請求項７に記載のように、制御装置４の賽銭認識・画像処理部４ｂ及び賽銭額判定部４ｃに参拝者・参詣者の人物情報を取得できる機能を備えることで、神社・仏閣側がこれらのデータを今後の経営的な対応に利用することができるとともに、後述する音声メッセージにも反映させることができる。
【００１６】  実施形態２：〈図２に対応〉
請求項２に記載の第２の考案である賽銭処理システム１は、実施形態１の応用例で、実施形態１の制御装置４内に賽銭額判定部４ｃの判定情報を記録部４ａに予め記録された出力情報に対応させて所定の出力情報を出力する出力部４ｄをさらに備えている。
この出力部４ｄには前記出力情報を出力する出力装置５が接続され、参拝・参詣者が賽銭を投入した直後に出力装置５より所定の出力を行う。出力装置５は請求項３に記載のように賽銭箱２の近傍に設置されたディスプレイ５ａ、賽銭箱２の上方部に配設されたスピーカー５ｂの中の少なくとも１つで構成され、スピーカー５ｂからは音声メッセージが自動で発せられ、またディスプレイ５ａには音声メッセージの内容が表示される。
ディスプレイ５ａ又はスピーカー５ｂどちらか一方を設置してもよいし、これら双方を設置してもよい。
【００１７】  音声メッセージは、判定された賽銭の額に応じて予め神社・仏閣側で用意しておくが、例えば、千円以上の高額の賽銭の場合のみ発するようにしてもよいし、１円〜５００円の硬貨毎や賽銭額毎に異なるメッセージを発するようにしてもよい。この音声メッセージは、縁起のよいポジティブな内容、例えば、「よくおまいりくださいました。祈願された内容は近いうちに叶えられるでしょう。あなたの幸運を祈っています。」などとすれば、参拝者・参詣者の心理的効果を高めることができ、また請求項７に記載の参拝者・参詣者の人物情報を考慮して音声メッセージを用意すればさらに効果を高めることができる。
なお、実施形態２の場合の表示装置６にはカメラの映像情報、賽銭の額の判定情報、出力情報、請求項７に記載の人物情報の中の少なくとも一つあるいはこれらの並列の情報が映し出されるようにしている。
【００１８】  また、ディスプレイ５ａへの表示出力又はスピーカー５ｂへの音声出力は請求項４に記載のように、本システムを手動に切り替えて、投入賽銭の額を表示装置６で社務所にいる宮司や住職などが確認し、この額に対応する表示出力又は音声出力を手動で行うようにしてもよい。
【００１９】  実施形態３：〈図３に対応〉
請求項５に記載の第３の考案である賽銭処理システム１は、実施形態１の応用例で、実施形態１の制御装置４内に賽銭額判定部４ｃの判定情報を基に所定の期間に投入された賽銭額を集計し、この集計情報を記録部４ａに記録処理を行う賽銭集計部４ｅをさらに備えている。
賽銭集計部４ｅの集計情報を活用することで、一定期間例えば１ケ月間に投入された賽銭の額を自動で集計することができるため、集計の手間が省けかつ集計後の帳簿管理も一元的に行うことができる。
なお、実施形態３の場合の表示装置６にはカメラの映像情報、賽銭の額の判定情報、集計情報の中の少なくとも一つあるいはこれらの並列の情報が映し出されるようにしている。集計情報の表示は、例えば現時点でのその日の賽銭集計額や日毎の賽銭集計額なども設定により行うことができる。
【００２０】  実施形態４：〈図４に対応〉
請求項６に記載の第４の考案である賽銭処理システム１は、実施形態２及び実施形態３を組み合わせた応用例であり、実施形態１の制御装置４内に賽銭額判定部４ｃの判定情報を記録部４ａに予め記録された出力情報に対応させて所定の出力情報を出力する出力部４ｄと、賽銭額判定部４ｃの判定情報を基に所定の期間に投入された賽銭額を集計し、この集計情報を記録部４ａに記録処理を行う賽銭集計部４ｅとをさらに備えている。
この組み合わせ形態により、上述の実施形態２及び実施形態３の内容を必要に応じて適宜使用することができる。
【符号の説明】
【００２１】  １    賽銭処理システム
２    賽銭箱
３    カメラ
４    制御装置
４ａ  記録部
４ｂ  賽銭認識・画像処理部
４ｃ  賽銭額判定部
４ｄ  出力部
４ｅ  賽銭集計部
５    出力装置
５ａ  ディスプレイ
５ｂ  スピーカー
６    表示装置
【図１】
0003221419.tif 000003
【図２】
0003221419.tif 000004
【図３】
0003221419.tif 000005
【図４】
0003221419.tif 000006
【手続補正書】
【提出日】平成31年3月13日(2019.3.13)
【手続補正１】
【補正対象書類名】実用新案登録請求の範囲
【補正対象項目名】請求項４
【補正方法】変更
【補正の内容】
【請求項４】
前記ディスプレイへの表示出力及び又は前記スピーカーへの音声出力は、手動操作により行われることを特徴とする請求項３に記載の賽銭処理システム。